(57)【要約】【課題】ピニオンギアに対するスプール軸の同芯度が確実に得られるとともに、ハンドル回転操作時にスプール軸をガタ付きなくスムーズに前後方向に精度良く往復動させることができる魚釣用スピニングリールを提供する。【解決手段】魚釣用スピニングリールは、スプール軸３ａの前端側を支持するとともに、ピニオンギア８に対する同芯度を得るための同芯嵌合部６０ａを有する支持部材６０を備える。スプール軸３ａは、その外周面がピニオンギア８の内周面と接触することなく、その前端側がピニオンギア８の前端よりも前方側で支持部材６０により支持されるとともに、その後端側がオシレート機構１２の摺動体１５により支持される。【選択図】  図２
2015177759.tif 000002
【特許請求の範囲】
【請求項１】
リール本体に回転可能に支持されたハンドルの回転操作によって回転駆動されるドライブギアに噛合し、先端にロータが固定されたピニオンギアと、
前端側に釣糸が巻回されるスプールを装着し、前記ピニオンギア内に挿通されるスプール軸と、
前記スプール軸の後端側を支持し、前記ドライブギアの駆動に伴ってスプール軸を前後方向に往復駆動させるオシレート機構と、
を有する魚釣用スピニングリールにおいて、
前記スプール軸の前端側を支持するとともに、前記ピニオンギアに対する同芯度を得るための同芯嵌合部を有する支持部材を備え、
前記スプール軸は、その外周面が前記ピニオンギアの内周面と接触することなく、その前端側が前記ピニオンギアの前端よりも前方側で前記支持部材により支持されるとともに、その後端側が前記オシレート機構の摺動体により支持されることを特徴とする魚釣用スピニングリール。
【請求項２】
前記支持部材の前記同芯嵌合部が前記ピニオンギアと同芯的に嵌合することを特徴とする請求項１に記載の魚釣用スピニングリール。
【請求項３】
前記ロータが前記ピニオンギアに対して同芯的に嵌合し、前記支持部材の前記同芯嵌合部が前記ロータと同芯的に嵌合することを特徴とする請求項１に記載の魚釣用スピニングリール。
【請求項４】
前記ロータが前記ピニオンギアの前端にロータナットにより固定され、前記支持部材が前記ロータナットの回り止めも行なうことを特徴とする請求項１ないし請求項３のいずれか１項に記載の魚釣用スピニングリール。
【請求項５】
前記ロータが前記ピニオンギアの前端に螺合するロータナットにより固定され、前記ロータナットが前記支持部材を兼ねることを特徴とする請求項１または請求項２に記載の魚釣用スピニングリール。
【請求項６】
前記支持部材は、前記スプール軸の前端側を軸受を介して支持することを特徴とする請求項１ないし請求項５のいずれか１項に記載の魚釣用スピニングリール。
【発明の詳細な説明】
【技術分野】
【０００１】
本発明は、魚釣用スピニングリールに関し、特に、ドライブギアによって回転駆動されるピニオンギアと、釣糸が巻回されるスプールを前後往復動可能に支持するとともに前記ピニオンギアに挿通されるスプール軸との支持構造に特徴を有する魚釣用スピニングリールに関する。
【背景技術】
【０００２】
従来、魚釣用スピニングリールは、ハンドルを回転操作することで回転駆動されるロータと、釣糸が巻回されて前後方向に往復駆動されるスプールとを備えた構成となっている。一般的に知られるように、前記ロータは、ハンドル軸に装着されたドライブギアと噛合してハンドル軸と直交する方向に回転可能に支持されたピニオンギアの前端にロータナットにより固定されることで回転駆動され、また、前記スプールを支持するスプール軸は、前記ピニオンギアに挿通され、ドライブギアにより駆動されるオシレート機構（往復動装置）によって前後方向に往復駆動される。
【０００３】
したがって、前記スプール軸は、ハンドルを回転操作した際、回転駆動されているピニオンギアに挿通された状態で往復駆動されることになる。そのため、スプールに大きな負荷が作用してスプール軸が撓むと、ピニオンギアの内面とスプール軸との接触圧が大きくなり、それにより、スプール軸の摺動抵抗が増大して、ハンドルの回転操作が重くなってしまう。
【０００４】
そこで、例えば、特許文献１には、ピニオンギアの内面に軸方向に沿って凹所を形成し、ピニオンギアの内面とスプール軸の外面との間に隙間を形成することにより、スプール軸の摺動抵抗を低減することが開示されている。
【０００５】
また、特許文献２には、ピニオンギアの前部にロータナットを螺合させ、ロータナットとスプール軸との間に配設される軸受によってスプール軸の前端側を支持するとともに、ピニオンギアの後部に設けられる軸受によりスプール軸の後端側を支持することにより、ピニオンギアの内周とスプール軸の外周とを非接触状態にする構成が開示されている。
【先行技術文献】
【特許文献】
【０００６】
【特許文献１】特開２００１−２５８４３８号
【特許文献２】特開２００６−３３３７０５号
【発明の概要】
【発明が解決しようとする課題】
【０００７】
しかしながら、特許文献１および特許文献２はいずれも、スプール軸を支持している２つの支持点間の距離が短い（特許文献１では、ピニオンギアの軸方向長さの範囲内での２点支持、また、特許文献２では、ピニオンギアの両端面近傍部同士の２点支持）ため、ピニオンギアの内周面とスプール軸の外周面との僅かな隙間によって、スプール軸がラジアル方向にガタ付き易いという問題がある。
【０００８】
また、特許文献２に開示されているように、ピニオンギアに螺合したロータナットとスプール軸との間に軸受を配設すると、ピニオンギアに対するロータナットの同芯度が出難く（したがって、ピニオンギアに対するスプール軸の同芯度が出難く）、そのため、ピニオンギアが回転すると、ロータナットの組み付け偏心によってスプール軸が振り回される可能性がある。さらに、スプール軸の位置決めにしたがってオシレート機構の摺動体の位置が決まるため、上記のように、スプール軸がガタ付いたり振り回されると、スプール軸（スプール）を精度良く前後動させることができない可能性がある。
【０００９】
本発明は、上記した問題に着目してなされたものであり、ピニオンギアに対するスプール軸の同芯度が確実に得られるとともに、ハンドル回転操作時にスプール軸をガタ付きなくスムーズに前後方向に精度良く往復動させることができる魚釣用スピニングリールを提供することを目的とする。
【課題を解決するための手段】
【００１０】
上記した目的を達成するために、本発明は、リール本体に回転可能に支持されたハンドルの回転操作によって回転駆動されるドライブギアに噛合し、先端にロータが固定されたピニオンギアと、前端側に釣糸が巻回されるスプールを装着し、前記ピニオンギア内に挿通されるスプール軸と、前記スプール軸の後端側を支持し、前記ドライブギアの駆動に伴ってスプール軸を前後方向に往復駆動させるオシレート機構とを有する魚釣用スピニングリールにおいて、前記スプール軸の前端側を支持するとともに、前記ピニオンギアに対する同芯度を得るための同芯嵌合部を有する支持部材を備え、前記スプール軸は、その外周面が前記ピニオンギアの内周面と接触することなく、その前端側が前記ピニオンギアの前端よりも前方側で前記支持部材により支持されるとともに、その後端側が前記オシレート機構の摺動体により支持されることを特徴とする。
【００１１】
上記した構成の魚釣用スピニングリールによれば、スプール軸は、その外周面がピニオンギアの内周面と接触することなく往復駆動可能に前後端側の２箇所で支持されるため、スプール軸が前後往復動した際の抵抗が軽く、ハンドルの回転操作も軽い。また、スプールに大きな負荷が作用してスプール軸が撓んでも、スプール軸とピニオンギアとの間の隙間により、スプール軸とピニオンギアとの接触を回避できる。同様に、例えばハンドル回転操作時のドライブギアとピニオンギアとの噛み合いに伴う負荷によりピニオンギアが撓んでも、ピニオンギアがスプール軸と接触することが避けられ、摺動抵抗が発生することはない。
【００１２】
また、上記した構成の魚釣用スピニングリールによれば、スプール軸は、その前端側が前記ピニオンギアの前端よりも前方側で支持部材により支持されるとともに、その後端側がオシレート機構の摺動体により支持されるため、２箇所の支持部の間隔が従来よりも長くなり、スプール軸がラジアル方向にガタ付き難くなる。
【００１３】
また、上記した構成の魚釣用スピニングリールによれば、スプール軸の前端側は、ピニオンギアに対する同芯度を得るための同芯嵌合部を有する支持部材で支持されており、ロータナットとの間に介在される軸受によって支持される構造ではないため、ピニオンギアに対するロータナットの芯ずれによる影響を受けることがなく、ピニオンギアに対するスプール軸の同芯度が確実に得られる。したがって、ピニオンギアは安定した状態で回転することができ、これにより、ピニオンギアに挿通されるスプール軸は安定して精度良く前後方向に摺動することが可能となる。
【００１４】
なお、上記構成において、支持部材の同芯嵌合部は、その内周面で相手側部材と嵌合してもよく、あるいは、その外周面で相手側部材と嵌合してもよい。また、支持部材の同芯嵌合部は、ピニオンギアに対する同芯度を得ることさえできれば、その嵌合断面の形状が任意である。すなわち、支持部材の同芯嵌合部と相手側部材と嵌合部との嵌合は、円形（真円）断面同士の嵌合により成されてもよく、あるいは、少なくとも一部に円弧を有する略円形またはそれ以外の断面同士の嵌合により成されてもよい。また、支持部材の同芯嵌合部は、ピニオンギアと直接に嵌合することが好ましいが、ピニオンギアに対する同芯度を得ることさえできれば、ピニオンギア以外の他の部材と嵌合しても構わない。
【発明の効果】
【００１５】
本発明によれば、ピニオンギアに対するスプール軸の同芯度が確実に得られるとともに、ハンドル回転操作時にスプール軸をガタ付きなくスムーズに前後方向に精度良く往復動させることができる魚釣用スピニングリールが得られる。
【図面の簡単な説明】
【００１６】
【図１】本発明の第１の実施形態に係る魚釣用スピニングリールの一部断面を有する側面図である。
【図２】（ａ）は図１の要部拡大図、（ｂ）は（ａ）のＡ−Ａ線に沿う断面図である。
【図３】（ａ）は本発明の第２の実施形態に係る魚釣用スピニングリールの要部拡大断面図、（ｂ）は（ａ）のＢ−Ｂ線に沿う断面図、（ｃ）は（ａ）のＣ−Ｃ線に沿う断面図である。
【図４】（ａ）は本発明の第３の実施形態に係る魚釣用スピニングリールの要部拡大断面図、（ｂ）は（ａ）のＤ−Ｄ線に沿う断面図である。
【発明を実施するための形態】
【００１７】
以下、本発明に係る魚釣用スピニングリールの実施形態について図面を参照しながら具体的に説明する。
【００１８】
図１および図２は本発明の第１の実施形態を示している。図１に示されるように、本実施形態に係る魚釣用スピニングリールのリール本体１には、釣竿に装着されるリール脚１ａが一体形成されており、その前方には回転可能に支持されたロータ２と、ロータ２の回転運動と同期して前後動可能に支持されたスプール３が配設されている。
【００１９】
リール本体１内には、ハンドル軸５ａが回転可能に支持されており、その突出端部には、ハンドル５が取り付けられている。また、ハンドル軸５ａには、巻取り駆動機構が係合しており、この巻取り駆動機構は、ハンドル軸５ａに取り付けられ、内歯が形成されたドライブギア（駆動歯車）７と、このドライブギア７に噛合すると共にハンドル軸５ａと直交する方向に延出し、内部に軸方向に延出する空洞部８ａが形成されたピニオンギア８とを備えている。なお、ピニオンギア８は、その後端側に歯部８ｂが形成されており、この歯部８ｂがドライブギア７と噛合される。
【００２０】
ピニオンギア８の前方側には雄螺子部８ｃが形成されており、ロータ２の中心孔をピニオンギア８の前端部に嵌合し、この部分で雄螺子部８ｃにロータナット９を締め付けることによりロータ２がピニオンギア８に対して固定される。この場合、ロータ２は、非円形断面の嵌合部２ｂでピニオンギア８の外周面（非円形）に回り止め嵌合される。
【００２１】
本実施形態のピニオンギア８は、その歯部８ｂとドライブギア７との噛合部位の前方（スプール側）の２箇所で軸受１０ａ，１０ｂを介してリール本体１に回転可能に支持されており、その空洞部８ａには、ハンドル軸５ａと直交する方向に延出し、前端側にスプール３を装着したスプール軸３ａが軸方向に移動可能に挿通されている。この場合、ピニオンギア８の中間領域の外周には、公知の一方向クラッチ１１が配設されており、リール本体１の後方に回動可能に支持された切換レバー１１ａを切換操作することで、ピニオンギア（ロータ）の回転状態を切り換え可能にしている（両方向の回転状態／釣糸巻き取り方向のみの回転状態を切り換える）。なお、前方側の軸受１０ａは、ピニオンギア８に対して回り止めされる一方向クラッチ１１の内輪１１ｂとリール本体１との間に介挿され、後方側の軸受１０ｂは、ピニオンギア８の歯部８ｂとドライブギア７との噛合部位の近傍にワッシャ１０ｃを介して設置される。
【００２２】
ピニオンギア８には、スプール３（スプール軸３ａ）を前後往復動させるための往復動装置（オシレート機構）１２が係合している。
本実施形態の往復動装置１２は、リール本体１内に回転可能に支持され、スプール軸３ａと平行に延在する螺軸（ウォームシャフト）１３と、スプール軸３ａの後端部に固定される摺動体（オシレーティングスライダ）１５とを備えている。螺軸１３の前端部には、ピニオンギア８と噛合するオシレートギア１６が設けられており、螺軸１３は、ハンドル５を回転操作することにより、ドライブギア７、ピニオンギア８、および、オシレートギア１６を介して回転駆動されるようになっている。
【００２３】
螺軸１３の外周面には、軸方向に沿って螺旋状のカム溝１３ａが形成されており、このカム溝１３ａに、摺動体１５に収容保持された係合ピン１８の係合爪（図示せず）が係合されている。
【００２４】
摺動体１５は、円筒状の収容孔を有する本体１５Ａを備えており、この本体１５Ａがスプール軸３ａの後端部に取り付けられて、スプール軸３ａの後端が支持された状態となっている。この場合、スプール軸３ａの後端部分には、断面が非円形でハンドル軸の軸方向と直交する平坦面が形成されており、この平坦面に対して、抜け止め部材（プレート）２０が当て付けられて、ハンドル軸方向から止めネジ２１が螺入されることで、スプール軸３ａは摺動体１５に対して回り止め固定されている。
【００２５】
摺動体１５の本体１５Ａの円筒状の前記収容孔内には、円柱状に構成された係合ピン１８が収容保持されており、その一端側（先端部）には、螺軸１３のカム溝１３ａに係合される前記係合爪が形成されている。また、係合ピンの他端側は抜け止め部材２０に当て付いて抜け止め保持されている。なお、摺動体１５（本体１５Ａ）は、螺軸１３と平行に延びるガイド２３により回り止めされつつ前後方向に移動可能に案内支持されている。
【００２６】
図２に明確に示されるように、スプール軸３ａは、その外周面がピニオンギア８の内周面と接触することなく（ピニオンギア８の内周面との間に隙間ｓを隔てて）ピニオンギア８の空洞部８ａ内にその全長にわたって挿通されて、ピニオンギア８の前端８ｅから突出するその前端側が支持部材６０により支持されるとともに、ピニオンギア８の後端から突出するその後端側が前述したように往復動装置１２の摺動体１５により支持される。
【００２７】
本実施形態において、支持部材６０は、段付きの筒状体として形成されており、その外周フランジ端部６０ｃがネジ５０を介してロータ２に取り付け固定される。また、支持部材６０は、ロータナット９およびピニオンギア８を外側から取り囲むようにピニオンギア８の前方側へと延びており、例えばロータナット９と非円形の嵌合部により嵌合することでロータナット９の回り止め部材としての機能も果たすようになっている。
【００２８】
また、支持部材６０は、ピニオンギア８に対する同芯度を得るための同芯嵌合部６０ａと、スプール軸３ａの先端側を軸受９０を介して支持する支持部６０ｂとを有する。同芯嵌合部６０ａは、円形断面を成しており、その円形の内周面がピニオンギア８の円形断面を成す先端嵌合部８ｄの外周面に対して同芯的に嵌合する。また、支持部６０ｂは、円筒状を成してピニオンギア８の前端８ｅよりも前方側へ延びており、ピニオンギア８の前端８ｅよりも前方側でスプール軸３ａの先端側を軸受９０を介して前後動可能に支持する。つまり、スプール軸３ａは、ピニオンギア８と同心的な支持部材６０に軸受９０を介して支持されることにより、ピニオンギア８に対する同芯度が確保される。
【００２９】
このように、本実施形態の魚釣用スピニングリールによれば、スプール軸３ａは、その外周面がピニオンギア８の内周面と接触することなく往復駆動可能に前後端側の２箇所で支持されるため、スプール軸３ａが前後往復動した際の抵抗が軽く、ハンドルの回転操作も軽い。また、スプール３に大きな負荷が作用してスプール軸３ａが撓んでも、スプール軸３ａとピニオンギア８との間の隙間ｓにより、スプール軸３ａとピニオンギア８との接触を回避できる。同様に、例えばハンドル回転操作時のドライブギア７とピニオンギア８との噛み合いに伴う負荷によりピニオンギア８が撓んでも、ピニオンギア８がスプール軸３ａと接触することが避けられ、摺動抵抗が発生することはない。
【００３０】
また、本実施形態の魚釣用スピニングリールによれば、スプール軸３ａは、その前端側がピニオンギア８の前端よりも前方側で支持部材６０により支持されるとともに、その後端側が往復動装置１２の摺動体１５により支持されるため、２箇所の支持部の間隔が従来よりも長くなり、スプール軸３ａがラジアル方向にガタ付き難くなる。
【００３１】
また、本実施形態の魚釣用スピニングリールによれば、スプール軸３ａの前端側は、ピニオンギア８に対する同芯度を得るための同芯嵌合部６０ａを有する支持部材６０で支持されており、前述した特許文献２のようにロータナットとの間に介在される軸受によって支持される構造ではないため、ピニオンギアに対するロータナットの芯ずれによる影響を受けることがなく、ピニオンギア８に対するスプール軸３ａの同芯度が確実に得られる。したがって、ピニオンギア８は安定した状態で回転することができ、これにより、ピニオンギア８に挿通されるスプール軸３ａは安定して精度良く前後方向に摺動することが可能となる。
【００３２】
図３は本発明の第２の実施形態を示している。本実施形態では、第１の実施形態のように支持部材６０がピニオンギア８に対して同芯的に直接に嵌合するのではなく、ピニオンギア８に対して同芯的に嵌合するロータ２に対して支持部材６０が更に同芯的に嵌合される。
【００３３】
具体的には、本実施形態において、ロータ２は、第１の実施形態と同様に非円形断面の嵌合部２ｂがピニオンギア８の外周（非円形嵌合部８ｆ）に回り止め嵌合される（図３の（ｃ）の断面参照）と同時に、例えば嵌合部２ｂから前方に連続する同芯嵌合部２ｃの円形内周面がピニオンギア８の前端側（例えば雄螺子部８ｃと非円形嵌合部８ｆとの間に設けられる）の円形断面の嵌合部８ｇの外周面に対して同芯的に嵌合する。
【００３４】
また、支持部材６０の外周フランジ端部６０ｃがネジ５０を介して取り付け固定されるロータ２の径方向延在部２ｂには、前方に向けて円筒状に突出する嵌合部２ａが設けられ、この嵌合部２ａの円形の内周面には、ロータナット９と回り止め嵌合する支持部材６０の同芯嵌合部としての内側筒部６０ａが同芯的に嵌合する。この場合、同芯嵌合部としての内側筒部６０ａは、特に図３の（ｂ）に示されるように、その内周面が非円形に形成されてロータナット９と回り止め嵌合するとともに、その外周面が円形を成してロータ２の嵌合部２ａの円形の内周面と同芯的に嵌合する。なお、支持部材６０の支持部６０ｂは、第１の実施形態と同様に、円筒状を成してピニオンギア８の前端８ｅよりも前方側へ延びており、この前方側でスプール軸３ａの先端側を軸受９０を介して前後動可能に支持する。つまり、本実施形態において、スプール軸３ａは、ピニオンギア８と同心的なロータ２と、ロータ２と同心的な支持部材６０とを介して、ピニオンギア８に対する同芯度が確保される。なお、それ以外の構成は、第１の実施形態と同一である。したがって、本実施形態においても、第１の実施形態と同様の作用効果を奏することができる。
【００３５】
図４は本発明の第３の実施形態を示している。本実施形態では、ロータナット９が第１および第２の実施形態における支持部材６０を兼ねている。具体的には、ロータナット９は、ピニオンギア８に対する同芯度を得るための同芯嵌合部９ａと、スプール軸３ａの先端側を軸受９０を介して支持する支持部９ｂとを有する。同芯嵌合部９ａは、円形断面を成しており、その円形の内周面がピニオンギア８の円形断面を成す先端嵌合部８ｄの外周面に対して同芯的に嵌合する（この場合、ロータナット９の同芯度は、同芯嵌合部９ａにより確保されるため、雄螺子部８ｃは所定の遊動をもって螺合することになる）。また、支持部９ｂは、円筒状を成してピニオンギア８の前端８ｅよりも前方側へ延びており、ピニオンギア８の前端８ｅよりも前方側でスプール軸３ａの先端側を軸受９０を介して前後動可能に支持する。つまり、スプール軸３ａは、ピニオンギア８と同心的なロータナット９に軸受９０を介して支持されることにより、ピニオンギア８に対する同芯度が確保される。なお、それ以外の構成は、第１の実施形態と同一である。したがって、本実施形態においても、第１の実施形態と同様の作用効果を奏することができる。
【００３６】
以上、本発明の実施形態について説明したが、本発明は、上記した実施形態に限定されることはなく、種々変形することが可能である。例えば、上記した実施形態において、支持部材は、ロータナットの回り止めを兼ね、あるいは、ロータナットであったが、例えば、ロータナットに関係の無いピニオンギア８の円形断面を成す先端嵌合部８ｄの外周面に嵌合する同芯嵌合部６０ａ又は円形断面の嵌合部８ｇの外周面に同芯的な内側筒部６０ａを有するスプール軸３ａを支持するための専用部材であっても良く、支持部材６０の支持方式、形態は限定されない。
【符号の説明】
【００３７】
１  リール本体
２  ロータ
３  スプール
３ａ  スプール軸
７  ドライブギア
８  ピニオンギア
９  ロータナット（支持部材）
９ａ  同芯嵌合部
１２  オシレート機構
１５  摺動体
６０  支持部材
６０ａ  同芯嵌合部
９０  軸受
【図１】
2015177759.tif 000003
【図２】
2015177759.tif 000004
【図３】
2015177759.tif 000005
【図４】
2015177759.tif 000006